(57)【要約】【課題】前面パネルがカバー部から脱落しにくい分電盤を提供すること。【解決手段】前面に開口部を有するカバー部材１１を有し、カバー部材の開口部を覆うように開口部端部に固定される前面パネル１３を備えた分電盤であって、前面パネルは、カバー部材１１の開口部端部の裏面側に当接する主爪９１と、カバー部材１１の開口部端部の表面側に当接する副爪９２と、を備え、主爪と副爪で開口部端部の表裏を挟止する構成とする。【選択図】図５
2019017205.tif 000002
【特許請求の範囲】
【請求項１】
前面に開口部を有するカバー部材を有し、カバー部材の開口部を覆うように開口部端部に固定される前面パネルを備えた分電盤であって、前面パネルは、カバー部材の開口部端部の裏面側に当接する主爪と、カバー部材の開口部端部の表面側に当接する副爪と、を備え、主爪と副爪で開口部端部の表裏を挟止する分電盤。
【請求項２】
主爪と副爪が左右方向にずれるように設けられた請求項１に記載の分電盤。
【請求項３】
前記カバー部材には、主爪又は副爪のいずれか一方が係止される溝部を備えた請求項１又は２に記載の分電盤
【請求項４】
溝部に所定間隔で補強部が設けられた請求項３に記載の分電盤。
【請求項５】
溝部の裏面に所定間隔で形成された凸部間に主爪が係止される請求項３又は４に記載の分電盤。
【発明の詳細な説明】
【技術分野】
【０００１】
本発明は、分電盤に関するものである。
【背景技術】
【０００２】
特許文献１に記載されているように、カバー部に開口部を形成した分電盤において、カバー部の開口部の端部に前面パネルを係合させて、ブレーカの充電部（端子部）や母線バーを覆って保護することが知られている。
【先行技術文献】
【特許文献】
【０００３】
【特許文献１】特開２０１６−３９７５５号公報
【０００４】
ところで、単に前面パネルに形成した爪部でカバー部を挟止させて、固定した場合、製品の輸送中の振動や、作業者の手が当たった場合などには、前面パネルが撓み、脱落する虞があった。
【発明の概要】
【発明が解決しようとする課題】
【０００５】
本件の発明者は、この点について鋭意検討することにより、解決を試みた。本発明の課題は、前面パネルがカバー部から脱落しにくい分電盤を提供することである。
【課題を解決するための手段】
【０００６】
上記課題を解決するため、前面に開口部を有するカバー部材を有し、カバー部材の開口部を覆うように開口部端部に固定される前面パネルを備えた分電盤であって、前面パネルは、カバー部材の開口部端部の裏面側に当接する主爪と、カバー部材の開口部端部の表面側に当接する副爪と、を備え、前記カバー部材には、主爪又は副爪を係止する溝部を備え、主爪と副爪で開口部端部の表裏を挟止する分電盤とする。
【０００７】
また、主爪と副爪が左右方向にずれるように設けられた構成とすることが好ましい。
【０００８】
また、前記カバー部材には、主爪又は副爪のいずれか一方が係止される溝部を備えた構成とすることが好ましい。
【０００９】
また、溝部に所定間隔で補強部が設けられた構成とすることが好ましい。
【００１０】
また、溝部の裏面に所定間隔で形成された凸部間に主爪が係止される構成とすることが好ましい。
【発明の効果】
【００１１】
本発明では、前面パネルがカバー部から脱落しにくい分電盤を提供することが可能となる。
【図面の簡単な説明】
【００１２】
【図１】実施形態の分電盤の斜視図である。但し、扉を開いた状態である。
【図２】実施形態の前面パネルの前側から見た斜視図である。
【図３】実施形態の前面パネルの後側から見た斜視図である。
【図４】実施形態のカバー部材の上部の部分拡大図である。
【図５】カバー部材と前面パネルが係止した状態を模式的に表した図である。ただし、実施形態においては、主爪と副爪は左右方向にずれるように設けられているため、前面パネルと直交する断面上に主爪と副爪が同時に現れることは無い。
【図６】実施形態の分電盤の正面図である。
【図７】実施形態の分電盤の斜視図である。
【図８】実施形態の分電盤の分解斜視図である。但し、扉を開いた状態である。
【図９】実施形態のケース部材の斜視図である。
【図１０】カバー部材を裏側から見た斜視図である。
【図１１】ボデー部材の斜視図である。
【図１２】扉の裏側を表した斜視図である。
【図１３】内面側ガイド部周りを表した図である。
【図１４】外面側ガイド部周りを表した図である。
【図１５】内面側ガイド部と取付部材を表した図である。
【図１６】取付部材が側枠を貫通した状態を表した図である。
【図１７】充電保護カバーの片側を支持片に引掛けた状態を表した内機の斜視図である。
【図１８】リ−ドバー接続端子台周りの部分拡大図である。
【図１９】母線バー端子台周りの部分拡大図である。
【発明を実施するための形態】
【００１３】
以下に発明を実施するための形態を示す。図１乃至図５に示されていることから理解されるように、実施形態の分電盤１は、前面に開口部１２を有するカバー部材１１を有し、カバー部材１１の開口部１２を覆うように開口部１２端部に固定される前面パネル１３を備えている。また、分電盤１には、前面パネル１３は、カバー部材１１の開口部１２端部の裏面側に当接する主爪９１と、カバー部材１１の開口部１２端部の表面側に当接する副爪９２と、を備えている。また、このカバー部材１１には、主爪９１又は副爪９２を係止する溝部９３を備えており、主爪９１と副爪９２で開口部１２端部に形成した溝部９３の表裏を挟止する構造となっている。このため、前面パネル１３がカバー部から脱落しにくい分電盤１を提供することが可能となる。本実施形態では、溝部９３はカバー部材１１の表面側に形成しており、副爪９２が係合するように形成している。
【００１４】
図６乃至図１２に示されていることから理解されるように、実施形態の分電盤１は、ボデー部材１４とカバー部材１１を有するケース部材１５を備えている。このケース部材１５には配電機器が収納されている。また、実施形態では、後面側に位置するボデー部材１４に、配電機器を備えた内機１６が固定されている。
【００１５】
実施形態のカバー部材１１は開口部１２を備えている。この開口部１２を覆うように、前面パネル１３が取り付けられるが、この際、開口部１２の端部に着脱可能に取り付けられる。この前面パネル１３には、開口部１２を覆った際に、内機１６の開閉器等の配電機器のハンドルを露出させる表示窓９９を備えている。前面パネル１３は着脱可能であるため、内機１６の状態にあわせて適切な形態の前面パネル１３を選択することができる。したがって、製造されるカバー部材１１の種類を抑制しながら、多様な内機１６に適切に対応させることができる。
【００１６】
実施形態のカバー部材１１にはボデー部材１４と固定するために用いるラッチ部９８を備えている。また、このラッチ部９８を操作する操作部９７をカバー部材１１の前面側に備えている。また、ボデー部材１４にはラッチ部９８と係止する係止部９６を備えている。この係止部９６はボデー部材１４の側枠１９よりも突出するように構成されている。
【００１７】
カバー部材１１には開閉可能な扉１７を着脱可能に設けている。この扉１７は、カバー部材１１の前面パネル１３から露出される配電機器のハンドルを覆うことができる。なお、扉１７とカバー部材１１は押し操作をすることにより、ロック状態と解錠状態を選択することができるようにするため、実施形態の分電盤１にはプッシュラッチ１００を備えている。
【００１８】
ところで、実施形態の分電盤１は、分岐ブレーカ８２や計測ユニット８３等の配電機器を固定する取付台１８を備えている。この取付台１８に、主幹ブレーカ８１、分岐ブレーカ８２、計測ユニット８３等の配電機器が固定されることにより内機１６が構成されている。
【００１９】
分電盤１の外に位置する商用電源と接続される主幹ブレーカ８１は、リードバーを介して母線バー８５に接続される。母線バー８５は分岐ブレーカ８２や計測ユニット８３などの配電機器と接続され、各々に電力を供給する。この母線バー８５とリードバーを支持・固定するためにリードバー接続端子台８６を設けている。
【００２０】
リードバー接続端子台８６とは反対側には母線バー８５の開放端部を支持する母線バー端子台８７を設けている。母線バー端子台８７は、母線バー８５の左右を開放させた状態で母線バー８５を支持する構成であるため、母線バー８５の長手方向端部から配電機器の接続部を接続させることが可能である。なお、母線バー８５の前面には母線バー８５に触れないように充電保護カバー８８を設けている。
【００２１】
カバー部材１１の中央は開放構造とした開口部１２を形成している。この開口部１２には、配電機器を覆う前面パネル１３が複数取り付けられている。この前面パネル１３の上下端部には、前面パネル１３の裏面側から突出する主爪９１を設けている。この主爪９１は、前面パネル１３をカバー部材１１に取り付けた際に、開口部１２の端部の裏面側に位置する部位である。また、カバー部材１１に備えられた開口部１２の端部の前面側には左右方向に渡って溝部９３を設けており、前面パネル１３には溝部９３に係合可能な副爪９２を設けている。この副爪９２は前面パネル１３の表面側から裏面側に突出するような部位を備えている。この前後方向にずらして形成した副爪９２と主爪９１によりカバー部材１１の開口部１２の端部を挟止する。より具体的には、主爪９１と副爪９２で溝部９３の表裏を挟止する。このような構成とすることにより、簡単には前面パネル１３が脱落できないようになっている。
【００２２】
実施形態の副爪９２と主爪９１は左右方向に異なる位置に設けられている。このようにすることで、主爪９１間の保持が弱い部分を副爪９２でカバーしている。なお、左右方向に一致する位置で挟止するような形態になると、前面パネル１３を外す際に力が必要となるが、主爪９１と副爪９２が左右方向にずれるように設ければ、一方の爪部の係止を外した後に他方の爪部の係止を外すことができ、取外作業を容易にすることができる。
【００２３】
実施形態の副爪９２は、開口部１２の端部の前面側に設けた溝部９３に係合し、カバー部材１１が脱落する方向へ移動することを規制することができる。また、溝部９３には所定間隔で補強部９４が設けられている。実施形態の補強部９４は、所定間隔で溝部９３を区切るように設けた部位であり、溝部９３の幅方向にわたるような形態となっている。補強部９４は溝部９３の補強が行えるものであるが、この補強部９４を副爪９２の位置合わせなどに使用できるように構成しても良い。
【００２４】
実施形態では、開口部１２の端部の裏面側には複数の凸部９５を設けている。より具体的には、溝部９３の裏面に凹凸形状を設けることにより、所定間隔で凸部９５が設けられている。この凸部９５間に主爪９１が係止されることにより上下方向の移動は勿論のこと、左右方向への移動も規制することができる。また、凸部９５は開口部１２の端部の補強の効果も得ることができる。
【００２５】
ところで通常、分電盤１の背面には、壁面への取り付けに利用される取り付けねじ部１０１を形成しているが、側面側に壁面を形成している場合があったり、その取り付けねじ部を利用して木ベース等を形成する場合がある。このような形態で分電盤１を壁面へ適切に取り付けることができるよう、実施形態の分電盤１は、以下のような構成を採用している。
【００２６】
図１３に示すように、実施形態では、ボデー部材１４の４隅の内側面には、木ねじなどの取付部材７５の取り付け位置を案内可能な内面側ガイド部７１を設けている。実施形態の内面側ガイド部７１は、取付部材７５の挿入方向に延びる溝状の凹部である。この溝状の凹部はボデー部材１４の開放端部側から薄肉状にした内面薄肉部７２を設けることにより形成されている。
【００２７】
一方、図１４に示すように、ボデー部材１４の外面側には、木ねじなどの取付部材７５の取り付け位置を案内可能な外面側ガイド部７３を設けている。実施形態の外面側ガイド部７３は、取付部材の挿入方向に延びる溝状の凹部である。この溝状の凹部はボデー部材１４の開放端部側から薄肉状にした外面薄肉部７４を設けることにより形成されている。
【００２８】
内面薄肉部７２と外面薄肉部７４は、ボデー部材１４の厚み方向から見て、互いに重複する位置がある。この重複する位置は側枠１９の外面側に外面側ガイド部７３の一部が位置し、内面側に内面側ガイド部７１の一部が位置することになるため、厚みが薄く、木ねじなどを貫通させやすい部位となっている。したがって、図１５及び図１６に示すことから理解されるように、ボデー部材１４の内面側から木ねじを挿入し、この重複する位置を破ってボデー部材１４の外側に通過させ、壁面等に取り付けることができる。この際、内面側ガイド部７１がねじの皿部を受けることができる。また、外面薄肉部７４を設けているため、ねじがボデー部材１４外側に広がることを防止し、垂直方向に近い形で木ねじの固定をすることも可能となる。
【００２９】
ところで、実施形態においては、内機１６に取り付けられる母線バー８５を覆うように、充電保護カバー８８が取り付けられている。図１７に示すように、このような充電保護カバー８８は左右端部側の上下側に切欠部８９を設けている。なお、充電保護カバー８８を支持する支持片は、母線バー８５とリードバーとの接続部を固定するリードバー接続端子台８６に一体に形成したり、他端側に形成する母線バー端子台８７に一体に形成したりしている。
【００３０】
図１８に示すように、リードバー接続端子台８６に設けた支持片７８は、母線バー８５の短手方向に延びるように形成されており、互いの先端が対向するよう、内向きに構成されている。また、図１９に示すように、母線バー端子台８７に設けた支持片７９は、母線バー８５の長手方向に延びるように形成されており、その先端が母線バー８５の中心から離れるよう、外側に向くように構成されている。このような構成とすれば、母線バー端子台８７の外側に向けた支持片７９に充電保護カバー８８の切欠部８９を引っ掛けて、位置が定まった状態とした後、充電保護カバー８８を倒せば、充電保護カバー８８の切欠部８９を、リードバー接続端子台８６の内側に向けた支持片７８と係止できる位置に移動させることができる。
【００３１】
実施形態では、一方の支持片７９を外側に向けているため、充電保護カバー８８の引掛操作が行い易くなる。また、他方の支持片７８を内側に向けているため、充電保護カバー８８を撓ますことで容易に係止することが可能となる。なお、実施形態では、リードバー接続端子台８６に設けた二つの支持片７８間に凹状の逃げ部７７を形成することで、充電保護カバー８８の撓みを行い易いようにしている。なお、支持片７８付近には規制部８０を形成しており、充電保護カバー８８が端子ネジ７６に当接することを防止している。また、リードバーの保護カバー９０にも同様の規制部８０を形成しておくこともできる。
【００３２】
以上、一つの実施形態について説明してきたが、本発明は上記実施形態に限定されることはなく、各種の態様とすることが可能である。例えば、主爪と副爪は左右位置が一致するように設けることも可能である。
【００３３】
実施形態では、主爪は前面パネルの上部に三つ、下部に三つとしているが、その数はこれに限ることは無い。副爪の数に関しても、実施形態と同様である必要は無い。これらは一つでも、二つ以上でも構わない。
【符号の説明】
【００３４】
１  分電盤
１１  カバー部材
１２  開口部
１３  前面パネル
９１  主爪
９２  副爪
９３  溝部
９４  補強部
９５  凸部
【図１】
2019017205.tif 000003
【図２】
2019017205.tif 000004
【図３】
2019017205.tif 000005
【図４】
2019017205.tif 000006
【図５】
2019017205.tif 000007
【図６】
2019017205.tif 000008
【図７】
2019017205.tif 000009
【図８】
2019017205.tif 000010
【図９】
2019017205.tif 000011
【図１０】
2019017205.tif 000012
【図１１】
2019017205.tif 000013
【図１２】
2019017205.tif 000014
【図１３】
2019017205.tif 000015
【図１４】
2019017205.tif 000016
【図１５】
2019017205.tif 000017
【図１６】
2019017205.tif 000018
【図１７】
2019017205.tif 000019
【図１８】
2019017205.tif 000020
【図１９】
2019017205.tif 000021